(57)【要約】請求される主題は、ストリップ・チャンネルで受信された連結コードのソフト復調とインターリーブを介して、受信チェーンにつき複数の受信アンテナを持つ無線端末において、アンテナ切り替えを可能にすることに関する。コヒーレント復調プロトコルは、第１期間中に第１アンテナに対するＳＮＲを推定するために実行され得る、そして、非コヒーレント復調プロトコルは、第２期間中に少なくとも１つの他のアンテナに対するＳＮＲを推定するためにストリップ・チャンネルで使用され得る。ＳＮＲは比較され得る、そして端末は次の送信スーパースロットに対して最高のＳＮＲのアンテナを選択することができる。
2009544256.tif 000002
【特許請求の範囲】
【請求項１】
第１スーパースロットの第２送信期間中にコヒーレント復調プロトコルを実行することおよび第１アンテナに対してＳＮＲを推定すること；
前記第１スーパースロットの終わりにおいて少なくとも第２アンテナへ切り替えること；
１つ以上のストリップ・シンボルに対して周波数スペクトルにわたって広げられる情報ビットを持つビットインターリーブ信号を受信すること；
後のスーパースロットの第１送信期間中に、少なくとも第２アンテナに対して、ＳＮＲを推定すること；
前記少なくとも第２アンテナに対して、ＳＮＲ推定中に非コヒーレント検波プロトコルを実行すること；
前記アンテナ各々の前記ＳＮＲを比較すること；および、
前記推定されたＳＮＲの関数として前記後のスーパースロットに対してアンテナを選択すること、
を含む、無線通信環境における無線端末のアンテナ切り替えを可能にする方法。  
【請求項２】
前記無線端末がその値より下ではアンテナを切り替えない閾値を前もって定義すること、をさらに含む、請求項１の方法。
【請求項３】
前記第１アンテナに対して推定された前記ＳＮＲと前記少なくとも第２アンテナに対して推定された前記ＳＮＲとの間の差と前記閾値を比較すること、をさらに含む、請求項２の方法。
【請求項４】
前記少なくとも第２アンテナが、前記閾値に等しいかまたはより大きい量だけ、前記第１アンテナに対する前記ＳＮＲより高いＳＮＲを持つ場合に、前記少なくとも第２アンテナへ切り替えること、をさらに含む、請求項３の方法。
【請求項５】
前記受信信号は、連結されたコード・プロトコルを使用してコード化された、請求項１の方法。
【請求項６】
第１スーパースロットの第２送信期間中に受信された信号を復調するコヒーレント復調器；
１つ以上のストリップ・シンボルに対して、周波数スペクトルにわたって広げられた情報ビットを持つビットインターリーブ信号を受信する受信機；
前記第１スーパースロット中に第１アンテナに対してＳＮＲを推定する、前記第１スーパースロットの終わりにおいて少なくとも第２アンテナへ切り替える、そして、第２スーパースロットの第１送信期間中に少なくとも前記第２アンテナ対してＳＮＲを推定する、プロセッサ;および、
前記少なくとも第２アンテナに対するＳＮＲ推定中に、前記ストリップ・チャンネルを復調する非コヒーレント復調器、
そこにおいて、前記プロセッサは、前記アンテナの各々の前記ＳＮＲを比較し、そして、前記推定されたＳＮＲの関数として前記第２スーパースロットに対してアンテナを選択すること、
を含む、無線端末においてアンテナ切り替えを容易にする装置。
【請求項７】
前記プロセッサは、前記第１アンテナに対して推定された前記ＳＮＲと前記少なくとも第２アンテナに対して推定された前記ＳＮＲの間の差と閾値を比較する、請求項６の装置。
【請求項８】
前記少なくとも第２アンテナが、前記閾値に等しいかまたはより大きい量だけ、前記第１アンテナに対する前記ＳＮＲより高いＳＮＲを持つ場合に、前記少なくとも第２アンテナへ切り替えること、をさらに含む、請求項７の装置。
【請求項９】
前記プロセッサは、前記ストリップ・シンボルのゼロ・エネルギー・トーン中に、前記少なくとも第２アンテナに対してＳＮＲを推定する、請求項６の装置。
【請求項１０】
前記受信された信号は、連結されたコード・プロトコルを使用してコード化された、請求項６の装置。
【請求項１１】
第１スーパースロットの第２送信期間中にコヒーレント復調プロトコルを実行し、第１アンテナに対してＳＮＲを推定するための手段；
前記第１スーパースロットの終わりにおいて少なくとも第２アンテナへ切り替えるための手段；
１つ以上のストリップ・シンボルに対して周波数スペクトルにわたって広げられる情報ビットを持つビットインターリーブ信号を受信するための手段；
後のスーパースロットの第１送信期間中に、少なくとも第２アンテナに対してＳＮＲを推定するための手段；
前記少なくとも第２アンテナに対してＳＮＲ推定中に非コヒーレント検波プロトコルを実行するための手段；
前記アンテナの各々の前記ＳＮＲを比較するための手段；および、
前記推定されたＳＮＲの関数として前記第２スーパースロットに対してアンテナを選択するための手段、
を含む、無線通信環境における無線端末のアンテナ切り替えを容易にする装置。
【請求項１２】
前記無線端末がその値より下ではアンテナを切り替えない閾値を前もって定義するための手段、をさらに含む、請求項１１の装置。
【請求項１３】
前記第１アンテナに対して推定された前記ＳＮＲと前記少なくとも第２アンテナに対して推定された前記ＳＮＲとの間の差を前記閾値と比較することと、前記少なくとも第２アンテナが、前記閾値に等しいかまたはより大きい量だけ、前記第１アンテナに対する前記ＳＮＲより高いＳＮＲを持つ場合に、前記少なくとも第２アンテナへ切り替えることのための手段、をさらに含む、請求項１２の装置。
【請求項１４】
前記受信された信号は、連結されたコード・プロトコルを使用してコード化された、請求項１１の装置。
【請求項１５】
コンピュータ可読命令であって、
第１スーパースロット中にコヒーレント復調プロトコルを実行することと、第１アンテナに対してＳＮＲを推定すること；
前記第１スーパースロットの終わりにおいて第２アンテナへ切り替えること；
１つ以上のストリップ・シンボルに対して周波数スペクトルにわたって広げられる情報ビットを持つビットインターリーブ信号を受信すること；
後のスーパースロットの第１送信期間中に、少なくとも第２アンテナに対してＳＮＲを推定すること；
前記少なくとも第２アンテナに対して、ＳＮＲ推定中に非コヒーレント検波プロトコルを実行すること；
前記アンテナの各々の前記ＳＮＲを比較すること；および、
前記推定されたＳＮＲの関数として前記後のスーパースロットの第２送信期間に対してアンテナを選択すること、
を含む、前記命令を格納したコンピュータ可読媒体。
【請求項１６】
前記無線端末がその値より下ではアンテナを切り替えない閾値を前もって定義するための命令をさらに含む、請求項１５のコンピュータ可読媒体。
【請求項１７】
前記受信された信号は、連結されたコード・プロトコルを使用してコード化された、請求項１５のコンピュータ可読媒体。
【請求項１８】
無線端末において複数の受信アンテナ間で切り替えるための命令を実行するプロセッサであって、
第１スーパースロットの第２送信期間中にコヒーレント復調プロトコルを実行することと、第１アンテナに対してＳＮＲを推定すること；
後のスーパースロットの第１送信期間のはじめにおいて少なくとも第２アンテナへ切り替えること；
１つ以上のストリップ・シンボルに対して周波数スペクトルにわたって広げられる情報ビットを持つビットインターリーブ信号を受信すること；
前記後のスーパースロットの前記第１送信期間中に、少なくとも第２アンテナに対して、ＳＮＲを推定すること；
前記少なくとも第２アンテナに対して、ＳＮＲ推定中に非コヒーレント検波プロトコルを実行すること；
前記アンテナの各々の前記ＳＮＲを比較すること；および、
前記推定されたＳＮＲの関数として前記後のスーパースロットの第２送信期間に対してアンテナを選択すること、
を含む、前記命令を実行するプロセッサ。
【請求項１９】
前記受信された信号は、連結されたコード・プロトコルを使用してコード化された、請求項１８のプロセッサ。
【発明の詳細な説明】
【技術分野】
【０００１】
次の説明は、一般に通信システムに関する、そして、特に無線通信環境における周波数のダイバーシティを改善するためのアンテナ切り替えを実行することに関する。
【背景技術】
【０００２】
無線ネットワーキングシステムは、他者と世界的に通信するために、普及した手段となっている。携帯電話、携帯情報端末などのような無線通信装置は、消費者のニーズを満たし、携帯性と利便性を改善するために、より小さく、よりパワフルになってきている。消費者は、信頼できるサービス、拡張された通信範囲エリア、付加的サービス（例、ウェブ・ブラウジング能力）、および、そのような装置のサイズとコストの継続的な低下を求めて、これらの装置に依存するようになってきている。
【０００３】
典型的な無線通信ネットワーク（例、周波数、時間、符号、分割技法を使用する）は、通信範囲エリア内においてデータを送信および受信することができる移動（例、ワイアレス）装置とともに、加入者に通信範囲エリアを提供する１つ以上の基地局を含んでいる。典型的な基地局は、放送、マルチキャストおよび／またはユニキャストサービスのために、複数の装置へ複数のデータストリームを同時に送信することが可能である。そこにおいて、データストリームは、ユーザ装置への独立した受信対象となり得るデータストリームである。その基地局の通信範囲エリア内のユーザ装置は、合成ストリームにより運ばれた１つの、または１つより多くの、またはすべてのデータストリームを受信することに関心があり得る。同様に、ユーザ装置は、基地局または他のユーザ装置へデータを送信することができる。
【０００４】
従来のマルチ入力・マルチ出力（ＭＩＭＯ）受信機では、個別の受信チェーンが各受信アンテナに対して必要とされる。ストリップ・チャンネルは、同報通信のために基地局により利用され得る専用の資源である。たとえば、情報ビットが１つ以上のストリップ・チャンネルをわたってコード化され得る場合には、非ビーコンのストリップ・チャンネルは、基地局が所定形式において情報を同報通信することを可能にすることができる。しかしながら、チャンネル周波数選択性、信頼性の低いチャンネル推定などに直面する場合、従来のストリップ・チャンネルは頑強性に欠ける。前に述べた欠陥を克服するために、干渉を軽減し、かつ周波数ダイバーシティを改善するシステムおよび／または方法に関して、未解決のニーズが当該技術には存在する。
【発明の概要】
【０００５】
下記は請求された主題のいくつかの態様の基本的な理解を提供するために、単純化された概要を示す。この概要は広範囲にわたる概観ではなく、重要な／重大な構成要素を識別すること、または、請求される主題の範囲を描くことを意図していない。その唯一の目的は、後に示されるより詳細な説明への序章として、単純化された形式で、いくつかの概念を提示することである。
【０００６】
種々の態様によれば、通信信号を復号する方法は、複数の情報ビットを含むシンボルのセットを受信すること、各サブセットが各シンボルのサブセットに対する内部コード復調の初期の先験的な（a priori）値のセットを選択して内部コード復調の入力に対応するように、受信されたシンボルのセットを複数のシンボルのサブセットに分割すること、そして、内部コード復調の出力として複数の第１ソフト情報値を生成するために、シンボルのサブセットの初期の先験的な値と内部コード生成行列を使用して、各シンボルのサブセットを復調すること、を含み得る。方法は、外部コード生成行列を使用して複数の情報ビットの１つへ、第１ソフト情報値の各々を関連付けること、外部コード復調の出力として複数の第２ソフト情報値を計算すること、そこにおいて、第２ソフト情報値の各々は情報ビットの１つに対応し、そして情報ビットと関連する第１ソフト情報値の少なくとも２つを使用して計算される、第２ソフト情報値と外部コード生成行列を使用して、各シンボルのサブセットに対する内部コード復調の新しい先験的な値のセットを決定すること、新しい先験的な値で初期の先験的な値を置き替えることと、復調し、関連付けし、計算し、そして、決定するアクションを少なくとも１度は繰り返すこと、をさらに含み得る。
【０００７】
他の態様によれば、複数の情報ビットを含むシンボルのセットを受信し、その受信されたシンボルのセットを複数のシンボルのサブセットに分割する受信機と、各シンボルのサブセットに対する内部コード復調の初期の先験的な値のセットを選択するデコーダと、複数の第１ソフト情報値を生成するために、シンボルのサブセットの初期の先験的な値と内部コード生成行列を使用して、各シンボルのサブセットを復調する内部コード復調器とを含む、通信信号をデコードすることを容易にする装置。その装置は、外部コード生成行列を使用して、第１ソフト情報値の各々を複数の情報ビットの１つへ関連付けるインターリーバと、複数の第２ソフト情報値を計算する外部コード復調器と、そこにおいて、各第２ソフト情報値は情報ビットの１つに対応し、情報ビットと関連する第１ソフト情報値の少なくとも２つを使用して計算される、そして、第２ソフト情報値と外部コード生成行列を使用して、各シンボルのサブセットに対して内部コード復調の先験的な値の新しいセットを決定し、シンボルのサブセットの復調の次の反復のために、新しい先験的な値で初期の先験的な値を置き替えるデインターリーバ、をさらに含み得る。
【０００８】
他の態様は、複数個の情報ビットを含むシンボルのセットを受信する手段と、各サブセットが内部コード復調の入力に対応するように、受信されたシンボルのセットを複数のサブセットへ分割するための手段と、各シンボルのサブセットに対して内部コード復調の初期の先験的な値のセットを選択するための手段と、内部コード復調の出力として複数の第１ソフト情報値を生成するために、シンボルのサブセットの初期の先験的な値と内部コード生成行列を使用して、各シンボルのサブセットを復調するための手段を含む、無線端末においてアンテナ切り替えを可能にする信号をデコードすることを容易にする装置に関する。その装置は、外部コード生成行列を使用して複数の情報ビットの１つへ、第１ソフト情報値の各々を関連付けるための手段と、外部コード復調の出力として複数の第２ソフト情報値を計算するための手段と、そこにおいて、各第２ソフト情報値は情報ビットの１つに対応し、情報ビットと関連する第１ソフト情報値の少なくとも２つを使用して計算されること、第２ソフト情報値と外部コード生成行列を使用して、各シンボルのサブセットに対して内部コード復調の新しい先験的な値のセットを決定し、そして、新しい先験的な値で初期の先験的な値を置き替えるための手段と、復調し、関連付けし、計算し、そして、決定するアクションを少なくとも１度は繰り返す手段、をさらに含み得る。
【０００９】
さらに他の態様は、複数の情報ビットを含むシンボルのセットを受信すること、受信されたシンボルのセットを複数のシンボルのサブセットに分割することと、各シンボルのサブセットに対して内部コード復調の初期の先験的な値のセットを選択することと、複数の第１ソフト情報値を生成するために、シンボルのサブセットの初期の先験的な値と内部コード生成行列を使用して、各シンボルのサブセットを復調すること、のためのコンピュータ実行可能命令を格納するコンピュータ可読媒体に関する。命令は、外部コード生成行列を使用して、複数の情報ビットの１つと第１ソフト情報値の各々を関連付けること、複数の第２ソフト情報値を計算することと、そこにおいて、各第２ソフト情報値は情報ビットの１つに対応し、情報ビットと関連する第１ソフト情報値の少なくとも２つを使用して計算される、さらに、第２ソフト情報値と外部コード生成行列を使用して、各シンボルのサブセットに対する内部コード復調の新しい先験的な値のセットを決定することと、新しい先験的な値で初期の先験的な値を置き替えることと、そして、復調し、関連付けし、計算し、そして、決定するアクションを少なくとも１度は繰り返すこと、をさらに含み得る。
【００１０】
さらに他の態様は、無線端末においてアンテナ切り替えを可能にする信号をデコードするためのコンピュータ実行可能命令、つまり、複数の情報ビットを含むシンボルのセットを受信することと、複数のシンボルのサブセットに受信されたシンボルのセットを分割することと、各シンボルのサブセットに対する内部コード復調の初期の先験的な値のセットを選択することと、複数の第１ソフト情報値を生成するために、シンボルのサブセットの初期の先験的な値と内部コード生成行列を使用して、各シンボルのサブセットを復調すること、を含む命令、を実行するプロセッサに関する。命令は、外部コード生成行列を使用して複数の情報ビットの１つと第１ソフト情報値の各々を関連付けることと、複数の第２ソフト情報値を計算することと、そこにおいて、各第２ソフト情報値は情報ビットの１つに対応し、情報ビットと関連する第１ソフト情報値の少なくとも２つを使用して計算される、さらに、第２ソフト情報値と外部コード生成行列を使用して、各シンボルのサブセットに対して内部コード復調の新しい先験的な値のセットを決定することと、そして、新しい先験的な値で初期の先験的な値を置き替えることと、復調し、関連付けし、計算し、そして、決定するアクションを少なくとも１度は繰り返すこと、をさらに含み得る。
【００１１】
他の態様によれば、無線通信環境における無線端末への送信のためにストリップ・シンボルを符号化する方法は、内部コード生成行列を使用してビット行列内の各行に対してコードワードを生成する外部コード生成行列を使用して、ビット行列を生成するために、外部コードで情報ビットベクトルを符号化することと、生成されたコードワードを単一のコードワードへ連結することを含み得る。方法は、連結されたコードワード（concatenated codeword）をたくさんの変調シンボルへマッピングすることと、変調シンボルをストリップ・シンボル内のトーンのサブセットへマッピングすること、をさらに含み得る。
【００１２】
他の態様に従うと、無線通信環境における無線端末への送信に対して、ストリップ・シンボルを符号化することを容易にする装置は、外部コード生成行列を使用してビット行列を生成するために、外部コードで情報ビットベクトルを符号化し、内部コード生成行列を使用してビット行列内の各行に対してコードワードを生成し、生成されたコードワードを単一のコードワードへ連結する、エンコーダを含み得る。装置は、さらに、連結されたコードワードを多くの変調シンボルにマッピングし、変調シンボルをストリップ・シンボルのトーンのサブセットへマッピングするプロセッサと、ストリップ・シンボルを送信する送信機を含み得る。
【００１３】
さらに他の態様は、無線端末への送信に対して、ストリップ・シンボルを符号化することを容易にする装置であって、外部コード生成行列を使用してビット行列を生成するために外部コードで情報ビットベクトルを符号化するための手段と、内部コード生成行列を使用してビット行列の各行に対するコードワードを生成するための手段と、加えて、生成されたコードワードを単一のコードワードへ連結するための手段を含む、装置に関する。装置は、さらに、連結されたコードワードを多くの変調シンボルにマッピングするための手段と、変調シンボルをストリップ・シンボルのトーンのサブセットにマッピングするための手段を含み得る。
【００１４】
さらなる態様は、外部コード生成行列を使用してビット行列を生成するために外部コードで情報ビットベクトルを符号化すること、および、内部コード生成行列を使用してビット行列の各行に対するコードワードを生成することのためのコンピュータ実行可能命令を格納するコンピュータ可読媒体に関する。命令は、生成されたコードワードを単一のコードワードへ連結することと、連結されたコードワードを多くの変調シンボルにマッピングすることと、そして、変調シンボルをストリップ・シンボルのトーンのサブセットへマッピングすること、をさらに含み得る。
【００１５】
なおもさらなる態様にしたがえば、無線装置への送信に対してストリップ・シンボルを符号化するためにコンピュータ実行可能命令を実行するプロセッサは、外部コード生成行列を使用してビット行列を生成するために外部コードで情報ビットベクトルを符号化することと、内部コード生成行列を使用してビット行列の各行に対するコードワードを生成することと、そして、生成されたコードワードを単一のコードワードへ連結すること、を含む命令を実行することができる。プロセッサは、さらに、連結されたコードワードを多くの変調シンボルにマッピングすることと、変調シンボルをストリップ・シンボルのトーンのサブセットへマッピングすること、のための命令を実行することができる。
【００１６】
さらに別の態様によれば、無線通信環境において無線端末のアンテナ切り替えを可能にする方法は、第１スーパースロットの第２送信期間中に、コヒーレント復調プロトコルを実行し、そして第１アンテナに対してＳＮＲを推定することと、前記第１スーパースロットの終わりにおいて少なくとも第２アンテナへ切り替えることと、１つ以上のストリップ・シンボルについて、ある周波数スペクトルにわたって広げられた情報ビットを持つビットインターリーブ信号を受信することを含み得る。方法は、さらに、後のスーパースロットの第１送信期間中に、少なくとも第２アンテナに対するＳＮＲを推定することと、少なくとも第２アンテナに対するＳＮＲ推定中に非コヒーレント検波プロトコルを実行することと、アンテナの各々のＳＮＲを比較することと、そして、推定されたＳＮＲの関数として後のスーパースロットに対してアンテナを選択することを、含み得る。
【００１７】
別の態様によれば、無線端末のアンテナ切り替えを容易にする装置は、第１スーパースロットの第２送信期間中に受信される信号を復調するコヒーレント復調器と、１つ以上のストリップ・シンボルに対して、周波数スペクトルにわたって広げられた情報ビットを持つビットインターリーブ信号を受信する受信機と、そして、第１スーパーロット中に第１アンテナに対するＳＮＲを推定し、第１スーパースロットの終わりにおいて少なくとも第２アンテナへ切り替え、第２スーパースロットの第１送信期間中に、少なくとも第２アンテナに対してＳＮＲを推定するプロセッサ、を含み得る。装置は、さらに、少なくとも第２アンテナに対して、ＳＮＲ推定中に、ストリップ・チャンネルを復調する非コヒーレント復調器を含み得る。そこにおいて、プロセッサは、アンテナの各々に対するＳＮＲを比較し、推定されたＳＮＲの関数として第２スーパースロットに対してアンテナを選択する。
【００１８】
別の態様は、無線通信環境における無線端末のアンテナ切り替えを容易にする装置であって、第１スーパースロットの第２送信期間中にコヒーレント復調プロトコルを実行し第１アンテナに対してＳＮＲを推定するための手段と、第１スーパースロットの終わりにおいて少なくとも第２アンテナへ切り替えるための手段と、そして、１つ以上のストリップ・シンボルに対して、周波数スペクトルにわたって広げられた情報ビットを持つビットインターリーブ信号を受信するための手段を含む装置に関する。装置は、さらに、後続のスーパースロットの第１送信期間中に、少なくとも第２アンテナに対してＳＮＲを推定するための手段と、少なくとも第２アンテナに対して、ＳＮＲ推定中に、非コヒーレント検波プロトコルを実行するための手段と、アンテナの各々のＳＮＲを比較するための手段と、そして、推定されたＳＮＲの関数として第２スーパースロットに対してアンテナを選択するための手段、を含み得る。
【００１９】
さらに別の態様は、第１スーパースロット中に、コヒーレント復調プロトコルを実行し、そして第１アンテナに対してＳＮＲを推定することと、第１スーパースロットの終わりにおいて第２アンテナへ切り替えることと、そして、１つ以上のストリップ・シンボルに対して、周波数スペクトルにわたって広げられた情報ビットを持つビットインターリーブ信号を受信することのための、コンピュータ可読命令をその上に格納したコンピュータ可読媒体に関する。命令は、さらに、後続のスーパースロットの第１送信期間中に、少なくとも第２アンテナに対してＳＮＲを推定することと、少なくとも第２アンテナに対してＳＮＲ推定中に非コヒーレント検波プロトコルを実行することと、アンテナの各々のＳＮＲを比較することと、そして、推定されたＳＮＲの関数として後続のスーパースロットの第２送信期間に対してアンテナを選択すること、を含み得る。
【００２０】
さらなる態様によれば、無線端末の複数の受信アンテナ間で切り替えるための命令を実行するプロセッサは、第１スーパースロットの第２送信期間中に、コヒーレント復調プロトコルを実行することと、第１アンテナに対するＳＮＲを推定することと、後続のスーパースロットの第１送信期間のはじめにおいて少なくとも第２アンテナへ切り替えることと、１つ以上のストリップ・シンボルに対して、周波数スペクトルにわたって広げられた情報ビットを持つビットインターリーブ信号を受信することと、そして、後のスーパースロットの第１送信期間中に、少なくとも第２アンテナに対してＳＮＲを推定すること、を含む命令を実行することができる。プロセッサは、さらに、少なくとも第２アンテナに対してＳＮＲ推定中に非コヒーレント検波プロトコルを実行することと、アンテナの各々のＳＮＲを比較することと、そして、推定されたＳＮＲの関数として後続のスーパースロットの第２送信期間に対してアンテナを選択すること、のための命令を実行することができる。
【００２１】
前述と関係した目的を達成するために、ある種の例示的な態様が、続く説明と添付された図面との関係においてここで説明される。しかしながら、これらの態様は、請求された主題の原理が使用され得る種々の方法のほんのわずかしか表示していないし、そして、請求された主題は、そのような態様とそれらの相当物のすべてを含むよう意図される。図面との関係において考慮される場合、他の有利な点と新規の特徴は、続く詳細な説明から明らかになるだろう。
【図面の簡単な説明】
【００２２】
【図１】ここで説明される１つ以上の態様に従って、ストリップ・シンボル構成と無線端末アンテナ分析についての理解を容易にする、時間に関する送信チャンネルの概観を示す。
【図２】ここに示された種々の態様に従った、受信機ＲＦチェーンを含む典型的な無線端末における構成要素を含むシステムを示す。
【図３】ここに示された種々の態様に従った、受信機ＲＦチェーンを含む無線端末における種々の構成要素を持つシステムを示す。
【図４】１つ以上の態様に従い、複数のアンテナと単一の受信機チェーンを持つ無線装置において、受信された信号を純化し、アンテナ切り替えを可能にするために、ソフト復調とインタリーブ・プロトコルの複数の反復を実行することを容易にするシステムの実例である。
【図５】１つ以上の態様に従い、複数の受信アンテナと単一の受信機チェーンを持つ無線装置において、アンテナ切り替えを実行するための方法を示す。
【図６】１つ以上の態様に従い、連結されたコードを復調し、インターリーブするために、反復的ＳＩＳＯ非コヒーレント復調プロトコルを使用して、通信信号をデコードするための方法を示す。
【図７】１つ以上の態様に従い、無線端末への送信のために、ストリップ・シンボルを含む通信信号を符号化するための方法の実例である。
【図８】ここで説明された１つ以上の態様に従い、通信環境において、受信チェーンごとに複数の受信アンテナを持つ無線端末において、アンテナ切り替えを容易にするシステムを示す。
【図９】種々の態様に従い、反復的ソフト復調と、インターリーブアルゴリズムを実行することにより、無線端末において受信された連結コード信号をデコードすることを容易にするシステムを示す。
【図１０】種々の態様に従い、無線端末に対して、送信信号内のストリップ・シンボルを符号化することを容易にするシステムの実例である。
【図１１】本発明に従ってインプリメントされた典型的な通信システムのネットワーク図を示す。
【図１２】本発明に従ってインプリメントされた典型的な基地局を示す。
【図１３】本発明に従ってインプリメントされた典型的な無線端末を示す。
【図１４】ここで説明された種々のシステムと方法とともに使用されることが可能な無線通信環境の実例である。
【詳細な説明】
【００２３】
請求された主題は、図面への参照符号により説明されるが、そこにおいて参照数字の類が、全体にわたって、要素の類を表すために使用される。次の説明においては、説明の目的のために、請求された主題の十分な理解を提供するために、多数の特定の詳細が説明される。しかしながら、そのような主題は、これらの特定の詳細なしに実行され得ることは、明白であり得る。他の例において、請求された主題の説明を容易にするために、よく知られている構成と装置がブロック図形式で示される。
【００２４】
さらに、種々の態様は、ユーザ装置との関連でここに説明される。ユーザ装置は、システム、加入者ユニット、加入者局、移動局、移動装置、遠隔局、遠隔端末、アクセス端末、ユーザ端末、端末、ユーザ・エージェント、または、ユーザ装備としても呼ばれる可能性がある。ユーザ装置は、携帯電話、コードレス電話、セッション・イニシエーション・プロトコル（ＳＩＰ）電話、無線ローカル・ループ（ＷＬＬ）局、ＰＤＡ、無線接続能力を持つハンドヘルド装置、または、無線モデムへ接続された他の処理装置であるかもしれない。
【００２５】
さらに、請求された主題の態様は、請求された主題の種々の態様をインプリメントするためのコンピュータまたは計算構成要素を制御するためのそれらの任意の組み合わせ、ソフトウェア、ファームウェア、ハードウェア、または、を製造する、方法、装置、または、標準プログラミングおよび／またはエンジ二ヤリング技法を使用する製造物（ａｒｔｉｃｌｅ）として、実現され得る。ここで使用される"製造物"という用語は、任意のコンピュータ可読装置、キャリア、または、メディアからのアクセス可能なコンピュータ・プログラムを包含するように意図される。たとえば、コンピュータ可読媒体は、磁気記憶装置（例、ハードディスク、フロッピー(登録商標)ディスク、磁気ストリップ．．．）、光ディスク（例、コンパクトディスク（ＣＤ）、ディジタルバーサタイルディスク（ＤＶＤ）．．．）、スマートカード、そして、フラッシュメモリ装置（例、カード、スチック、キードライブ．．．）を含むことができるが、これらに限定されない。さらに、搬送波は、ボイスメールを送受信する際に、または、携帯ネットワークのようなネットワークにアクセスする際に使用されるもののようなコンピュータ可読電子データを運ぶために使用されることが可能であることは、認識されるべきである。勿論、当業者は、ここに説明されるものの範囲または精神から外れずに、多くの修正がこの構成になされ得ることを認識するであろう。
【００２６】
ここで説明された種々の態様は、直交周波数分割多重化通信環境のような、無線通信環境における周波数ダイバーシティを改善するためのコード化と変調に関する。たとえば、情報ビットは、ビット・インターリーブ・プロトコルを通じて、帯域幅スペクトルにわたって広げられ得る、そして、コード化と変調は、受信機において非コヒーレント復調プロトコルを実行することを容易にするために実行され得る、それによってチャンネル状態情報に対する必要性を減ずる。ソフト復調技法は、ストリップ・チャンネルが複数のアンテナを通じて受信される場合、無線端末がアンテナ間で切り替えることを可能にするために、連結コードと関連して使用され得る。
【００２７】
図１は、ここで説明される１つ以上の態様に従って、ストリップ・シンボルの構成と無線端末アンテナの分析の理解を容易にする、時間に関する送信チャンネルの概観１００を示す。送信チャンネル１００は、ストリップ・シンボル１０２を含むが、それは、たとえば１１３のトーンを含み、そのうちの５６はデータ、トレーニング情報等を送信するために使用され、それらと関係する非ゼロエネルギーを持つことができる。一方で、残りのトーンは、何らの信号送信エネルギーを運ばないヌル・トーンとして知られるゼロエネルギーのトーンである。いくつかの実施形態では、たとえば、トーン・セット１０４のように、トーンは、複数の（例、８）トーン・サブセットに分割され得る。各トーン・セットは、７つの非ゼロ・エネルギー・トーンおよび、ことによるとヌル・トーンを含んでいる。各トーン・サブセットにおいて、７の非ゼロ・エネルギー・トーンには、ヌル・トーンが点在し得る。図に示されるように、ストリップ・シンボル１０２は、１１３のトーンを含み、そして、トーン・サブセット１０４は、１−７の番号を付けられ、ヌル・トーンが点在する（"Ｘ"としてラベルされる）、非ゼロ・エネルギー・トーンを含む。いくつかの実施形態では、各トーン・サブセット１０４は、チャンネル推定を容易にするために、既知のシンボルが送信される、トレーニング・トーン１０６を含む。トレーニング・トーン１０６は、トーン・サブセット１０４内の他の非ゼロ・エネルギー・トーンとは異なる非ゼロ・エネルギーのレベルを持つトーンであるかもしれない、そして、トーン・セットおよび／またはストリップ・シンボル間で一貫しているかもしれない（例、常にトーン３、常に５まで等）、または、トーン・セットおよび／またはストリップ・シンボル間で変化することができる。一例によれば、トーン4は、すべてのストリップ・チャンネルのすべてのトーン・サブセットにおけるトレーニング・トーンかもしれない。他の例によれば、トーン３は、第１ストリップ・シンボル内のすべてのトーン・セット中のトレーニング・トーンであるかもしれない、トーン４は、第２ストリップ・シンボル内のすべてのトーン・サブセット中のトレーニング・トーンであるかもしれない、さらに、他のトーン（例、任意のトーン１−７）は、第３ストリップ・シンボル内のトレーニング・トーンであるかもしれない、などである。さらに別の例によれば、異なるサブセット内のトレーニング・トーンは、ランダムに割り当てられるか、および／または、選択され得る。さらに、各トーン・セットがトレーニング・シンボルを持つ限り、トレーニング・トーン、トーン・セット、そして、ストリップ・シンボルの任意の入れ替えが、実行され得る。いくつかの態様によれば、トレーニング・トーン１０６は、トーン・サブセット１０４における７つの非ゼロ・エネルギー・トーン間の真ん中のトーンである。ストリップ・シンボル１０８は、ストリップ・シンボル１０２に続く。いくつかの実施形態では、ストリップ・シンボル１０２における非ゼロ・エネルギー・トーンのセットは、ストリップ・シンボル１０８における非ゼロ・エネルギー・トーンのセットとは異なる。
【００２８】
ストリップ・シンボル１０２と１０８は、スーパースロット（例、およそ１１．４ミリセコンドの長さ）のはじめの部分において送信され得る。複数のアンテナを装備した無線端末を考える。図１において、スーパースロットは、ストリップ・シンボルが送信される第１期間と非ストリップ・シンボルが送信される第２期間を含む。たとえば、図１の第１スーパースロットは、第１期間としてシンボル１０２と１０８を、第２期間として残りの期間内に非ストリップ・シンボルを含む。
【００２９】
第１スーパースロットの第２期間が、アンテナ１という第１アンテナを通じて、Ｈ１という第１チャンネル上で無線端末により受信されると仮定する。１つ以上の実施形態では、パイロット信号は第１スーパースロットの第２期間内に送信される。したがって、受信された信号をデコードするために、無線端末はチャンネルＨ１を推定し、Ｆ1として表示されるコヒーレント復調プロトコルを使用することが可能である。無線端末は、さらに、アンテナ１に対してＳＮＲ値を評価することができる。
【００３０】
次に、第２スーパースロットの第１期間において信号を受信するために、たとえば、第２スーパースロットの第１ストリップ・シンボルにおいてはアンテナ２を、そして第２スーパースロットの第２ストリップ・シンボルにおいてはアンテナ３のように、異なるアンテナを使用するように無線端末は切り替えることができる。結果として、図１に示されるように、チャンネルは、第１と第２ストリップ・シンボルのＨ２とＨ３にそれぞれ変更される。チャンネルＨ２またはＨ３は、受信アンテナの変更により、チャンネルＨ１とは異なるかもしれない。それゆえに、第１スーパースロット内で獲得されるＨ１のチャンネル推定は、チャンネルＨ２またはＨ３に対して適用可能でないかもしれない。したがって、ストリップ・シンボル内で受信された信号をデコードするために、無線端末は、非コヒーレント復調プロトコルＦ２を使用する。"非コヒーレント（non-coherent）"という用語は、ストリップ・シンボル内で受信された信号の変調が、たとえば、第１スーパースロットの第２期間内のように、前の期間内に受信された信号に依存しないことを意味する。無線端末は、それによって受信される１つ以上の他のアンテナおよび／またはチャンネル（例、Ｈ２、Ｈ３等）に対して、ＳＮＲをさらに評価することができる。たとえば、各ストリップ・シンボル内のゼロエネルギー・トーン（例、干渉が定量化され得る）とヌル・トーン中に、ＳＮＲは測定され得る。１つ以上の他のアンテナに対するＳＮＲは、第１アンテナに対するＳＮＲと比較され、以前のスーパースロット中に決定され得る、そして、測定されたＳＮＲの比較の関数として、無線端末はアンテナ（図１に示されるアンテナＸ）に切り替えることができる。たとえば、無線端末は、第２スーパースロットの第２期間内に使用されるように、最高の測定されたＳＮＲのアンテナを選択することができる。上記の手順は、単一の受信機チェーンを使用する一方で、複数のアンテナを持つ無線端末がそれらの間で切り替えることが可能となるように、アンテナ受信能力が継続的にモニタされ評価される反復的方法を提供するために、後続のスーパースロットにおいて繰り返すことができる。
【００３１】
いくつかの態様に従って、３つのアンテナの無線端末は、各スーパースロットにおいて２つの不使用アンテナの非コヒーレント復調を可能するために、各スーパースロットのはじめに、２つのストリップ・シンボル１０２と１０８を持つ信号を受信することが可能である。この例に従うと、無線端末は、スーパースロット内の非ストリップ・シンボルを受信するために１つのアンテナを使用し、非ストリップ・シンボルをデコードするためにコヒーレント変調を使用し、そして、ＳＮＲを測定する。無線端末は、次のスーパースロットのストリップ・シンボル中に他の２つの不使用アンテナへ切り替え、そして信号をデコードするために各ストリップ・シンボル上で非コヒーレント復調プロトコルを実行することができる。無線端末は、さらに、ストリップ・シンボルを使用してそれぞれのアンテナについてＳＮＲを決定する。次に、無線端末は、３つのアンテナの測定されたＳＮＲに基づいて、後続のスーパースロットにおける非ストリップ・シンボル内で使用するために１つのアンテナを選択する。図１と先の例は３つの受信アンテナの無線端末について説明しているが、より多いまたはより少ない受信アンテナが使用され得ること、ストリップ・シンボルの対応数は、アンテナ切り替えを容易にするために、基地局によって符号化され送信され、そして無線端末によって受信されることは、認識されるだろう。
【００３２】
ストリップ・シンボルの符号化および／または変調は、１つ以上の態様と関係するさまざまなやりかたで行われ得る。ストリップ・シンボルのデコードは、前のシンボルの使用に依存する必要はない。いくつかの実施形態では、ストリップ・シンボルは、ベクトル、低密度パリティ・チェック（low-density parity check）（ＬＤＰＣ）符号化方式で符号化され得る。特に、入力は、たとえば６０ビットのような情報ビット数であり、出力は、たとえば、２８８ビットのようなコード化されたビット数である。６０ビットベクトルは、情報ベクトル（それはｕ＝［ｕ５９，ｕ５８，．．．，ｕ０］として表記され得る、ここで、ｕ５９は最上位ビット(（ＭＳＢ）であり、ｕ０は最下位ビット（ＬＳＢ）である。）の終わりに４つのゼロを加えることにより、６４ビットベクトルへ拡張される。次に、拡張された情報ベクトルは、ｕ＝［ｕ５９，ｕ５８，．．．，ｕ０，０，０，０，０］として表記され得る。３０４ビット・コードワード・ベクトルｘ＝［ｘ３０３，ｘ３０２，．．．，ｘ０］は、ある種のパリティ・チェック行列を持つベクトルＬＤＰＣコードから形成され得る。ここで、ｘ３０３はＭＳＢであり、ｘ０はＬＳＢである。２８８ビット出力ベクトルはコードワード・ベクトルｘを短くすることにより獲得され得る。たとえば、コードワードにおける１２の最上位ビットがパンクチャーされ得るが、その結果、コードワードにおける次の２８８ビットが出力ベクトルになり、残りの４ＬＳＢは同様にパンクチャーされる。出力ベクトルは、ｙ＝［ｘ２９１，ｘ２９０，．．．，ｘ４］として与えられ、ＢＰＳＫ変調方式を使用して２８８変調シンボルへマッピングされ得る。
【００３３】
２８８の変調シンボルは、４８の変調シンボルに対してそれぞれ、６つのストリップ・シンボルで送信される。つまり、各ストリップ・シンボル内の５６の利用可能な非ゼロ・エネルギー・トーン・シンボルのうち、８がトレーニング・トーン・シンボルであり（トーン・セットあたり１つ）、結果として、変調シンボルがマッピングされ得るのは、４８トーン・シンボルとなる。図１に示される態様では、ストリップ・シンボルは５６の非ゼロ・エネルギー・トーンを含み、それが８のトーン・サブセットに分割され、そして、各サブセットは７の非ゼロ・エネルギー・トーンを含む。ある与えられたストリップ・シンボルに対する４８の変調シンボルのセットでは、最初の６変調シンボルは、次のように第１のトーン・サブセット内に送信される：最初の３変調シンボルはトーン・サブセットの最初の３トーン内に送信される。他の３変調シンボルはトーン・サブセットの最後の３トーン内に送信される。そして、既知の変調シンボルは、チャンネルを学習するためのトレーニング・シンボルとして無線端末により使用されることが可能なトーン・サブセットの中間のトーンで送信される。既知のシンボルは、残りの６変調シンボルと同じパワー、または、より高いパワーで、送信され得る。同様に、次の６変調シンボルは、第２トーン・サブセット内に送信される。以下同様である。
【００３４】
別の態様では、ストリップ・シンボルは連結されたコードで符号化され得る。具体的には、１つのストリップ・シンボルは、情報ビットベクトルｕ＝［ｕ０，ｕ１，ｕ２，ｕ３，ｕ４］を符号化する。最初に、外部コードは２１ビットベクトルを形成するために使用される。たとえば、外部コードは、次のような７ｘ３の行列を使用して説明され得る：
【表１】
2009544256.tif 000003
【００３５】
各行は３つのビットを含む。行列の各行について、１１１１００００，１１００１１００，１０１０１０１０のような内部コード生成行列Ｇ３，８を使用して、８ビット・コードワードが生成され得る。たとえば、７ｘ３行列の第１行は、［ｕ０，ｕ２，ｕ４］であり、したがって、８ビット・コードワードは［ｕ０，ｕ２，ｕ４］Ｇ３，８に等しくなる。７つの８ビットコードワードの全体は、５６ビット・コードワードを形成するために連結され得るが、そこでは、８ＭＳＢは７ｘ３行列の第１行から生成され、次の８ＭＳＢは第２行からと、以下同様に生成される。次に、５６ビットの連結されたコードワードは、たとえば、ＢＰＳＫ変調方式を使用して、５６変調シンボルへマッピングされ得る。５６変調シンボルは、ストリップ・シンボルの非ゼロ・エネルギー・トーンでそれぞれ送信される。周波数ダイバーシティを達成するために、任意の情報ビット（ｕ０，ｕ１，ｕ２，ｕ３，ｕ４）が複数の行に表れることを外部コードが確実にし、それが複数の内部コードワードにより次に符号化されることは注目すべきである。たとえば、ｕ０は、第１、第３、第５、そして、第７行に現れる。それらのコードワードは、ストリップ・シンボルにおいて、広い周波数範囲にわたるトーンにマッピングされるであろう。
【００３６】
別の例において、情報ベクトルはｕ＝［ｕ０，ｕ１，，，，ｕ１３］として表示され得る。最初に、外部コードは２１ビットベクトルを形成するために使用される。たとえば、外部コードは、７ｘ３の行列を使用して次のように記述することができる：
【表２】
2009544256.tif 000004
【００３７】
各行は３ビットを含む。行列の各行について、１１１１００００，１１００１１００，１０１０１０１０のような内部コード生成行列Ｇ３，８を使用して、８ビットコードワードが生成される。たとえば、１４ｘ３行列の第１行は、［ｕ５，ｕ１，ｕ１２］であり、したがって、８ビット・コードワードは［ｕ５，ｕ１，ｕ１２］Ｇ３，８に等しい。１４の８ビット・コードワードの全体は、１１２ビット・コードワードを形成するために、連結され得る。そこでは、８ＭＳＢが１４ｘ３行列の第１行から生成され、次の８ＭＳＢは第２行からと、以下同様に生成される。１１２ビット連結コードワードは、次に、たとえば、ＢＰＳＫ変調方式を使用して、１１２変調シンボルへマッピングされ得る。１１２変調シンボルは、それぞれ、２つのストリップ・シンボルの非ゼロ・エネルギー・トーンで送信される。
【００３８】
図２は、ここに示された種々の態様に従った、受信機ＲＦチェーンを含む典型的な無線端末における構成要素を含むシステム２００を示す。システム２００は、複数のＮ個のアンテナ・エレメント（２０２，２０４，２０６）から１つを選択するために、切替器２０８を使用する。受信された信号は、選択されたアンテナを通じてＲＦ受信機チェーンへ送られるけれども、他方の、つまり、非選択のアンテナで受信された信号は転送されない。切替器２０８は第１アンテナ２０２へ結合されて示される。期間の境界を含む、種々の情報に基づいてアンテナ間で切り替えるように、切替器は制御され得る。この態様は、選択されたアンテナに対応して１つの値が１に等しくセットされ、他のアンテナに対応して、その他の値がゼロに等しくセットされるところの、制御可能ゲイン・エレメント（示されていない）のセットを切替器２０８が含み得るという機能的な等価の見地から考えることができる。
【００３９】
図３は、ここに示された種々の態様に従った、受信機ＲＦチェーンを含む無線端末における種々の構成要素を持つシステム３００を示す。いくつかの態様によると、複数の“複合”アンテナ・パターンが可能である。たとえば、システム３００は、それぞれゲイン値（Ｇ１，１，Ｇ２，１，ＧＮ，１）を持つ、ゲイン・エレメント（３０８，３１０，３１２）の第１セットへ結合された、複数のアンテナ・エレメント（３０２，３０４，３０６）を含む。ゲイン・エレメント（３０８，３１０，３１２）の第１セットの出力は、第１結合回路３１４へ入力される。アンテナ・エレメント（３０２，３０４，３０６）もまた、それぞれ、ゲイン値（Ｇ１，２，Ｇ２，２，ＧＮ，２）を持つゲイン・エレメント（３０８’，３１０’，３１２’）の第２セットへ結合される。ゲイン・エレメント（３０８’，３１０’，３１２’）の第２セットの出力は、第２結合回路３１４’へ入力される。対応する結合回路を持つゲイン・エレメント各々の追加的セットは、インプリメントされ得る。システム３００は、結合回路（３１４，３１４’）の１つの出力の１つをそれ自身へ結合し、受信機のＲＦチェーン入力へ結合される切替器３１６も含む。
【００４０】
各アンテナ・パターンは、Ｎアンテナ・エレメントの加重合計により、実際上生成される。異なるアンテナ・パターンは、たとえば、（Ｇ１，１，Ｇ２，１，．．．，ＧＮ，１）、（ＧＮ，１，Ｇ１，２，．．．，ＧＮ，２）のような、それらの重み付け係数、ゲイン・エレメントのセットのゲイン値において異なる。時にはゲイン値と呼ばれる重み付け係数は、複素数または実数値になり得る。ゲイン値は、固定され、前もって決定され、または、プログラム可能、調整可能、等であり得る。
【００４１】
図４は、１つ以上の態様に従って、非コヒーレント方式において受信信号をデコードするために、ソフト復調とインタリーブ・プロトコルの複数の反復を実行することを容易にするシステム４００の実例である。表１と表２の実施形態で示されるように、信号は連結されたコードで符号化される。
【００４２】
連結されたコードについては、全体的な生成行列を公式化し、たとえば、最大の尤度のような、最適なデコーディング・アルゴリズムを導き出すことは可能である。しかしながら、最適デコーディング・アルゴリズムは、計算上、複雑であるかもしれない。反復デコーダ４０２は、連結されたコード構成を利用し、そして、わずかな反復で最適デコーダの性能へ近づくことが可能である。都合がよく複雑さが著しく減少される。デコーダ４０２は、たとえば、図１おいて表１または２に関係して説明されたスーパースロットで受信されたストリップ・シンボルのような、連結されたコード入力信号を受信することができる、そして、内部コード復調器４０４、インターリーバ４０６、外部コード復調器４０８、そして、デインターリーバ４１０を使用するソフト入力・ソフト出力・復調プロトコルを開始することができる。たとえば、複数の情報ビットを含むシンボルのセットは、内部コード復調器４０４により受信され得る。それは、次に、受信されたシンボルセットを複数のシンボルサブセットに分割し得る。デコーダ４０２は、シンボルサブセットの内部コード復調のために複数の先験的な値を選択することができる、そして、内部コード復調器４０４は、複数のソフト情報出力値を生成するために、先験的な値と内部コード生成行列を使用して、シンボルサブセットを復調することができる。ソフト情報出力値は、インターリーバ４０６によりインターリーブされ、（例、外部コード生成行列を使用して）外部コード変調器４０８により、複数の情報ビットの１つに関連付けされ得る。デインターリーバ４１０は、外部コード復調器４０８の出力にしたがって複数の第２ソフト情報値を、計算することができる、そこでは、各第２ソフト情報値は、情報ビットの１つに対応し、情報ビットと関係する第１ソフト情報値の少なくとも２つを使用して計算される。第２ソフト情報値は、次に、受信された入力シンボルの内部コード復調の次の反復における使用のための先験的な値の新セットを決定するために、使用され得る、そして、図４の矢印で示されるように、同様に行われていく。
【００４３】
例として、表１を考える。はじめに、受信信号は、内部コードに対して復調され得るが、その生成行列は、表１の各行のソフトデコーディング値、特に、第１行の［ｕ０，ｕ２，ｕ４］のソフト値Ｘ０１，Ｘ２１，Ｘ４１、第２行の［ｕ１，ｕ３，ｕ４］のソフト値Ｘ１２，Ｘ３２，Ｘ４２、などを生成するために、Ｇ３，８として与えられ得る。それらのソフト値は、内部コード（例、内部コード復調器４０４）の出力ソフト値と呼ばれる。
【００４４】
外部コード復調器４０８は、任意の与えられた情報ビットに対して、追加的コード保護を供給する。たとえば、ビットｕ０に対して、第１、第３、第５、そして、第７行のすべてがソフト値を供給することは、注目すべきである。理想的には、それらのソフト値は同一である。しかしながら、受信された信号の干渉とノイズのために、それらは反復の第１ラウンドにおいて同一ではないかもしれない。インターリーバ４０６、外部コード復調器４０８、および、デインターリーバ４１０は、内部コードの出力ソフト値を取り出し、外部コードの外部ソフト値を計算する。たとえば、ビットｕ０に対して、第１、第３、第５、および、第７行における内部コードの出力ソフト値を、それぞれ、Ｘ０１，Ｘ０３，Ｘ０５，および、Ｘ０７であると表す。そして、ビットｕ０について、Ｙ０１として表わされる、第１行に対する外部コードの外部ソフト値は、たとえば、Ｙ０１＝average（Ｘ０３，Ｘ０５，Ｘ０７）のように、Ｘ０１，Ｘ０３，Ｘ０５，および、Ｘ０７から計算され得る。同様に、ビットｕ０について、Ｙ０３として表示される、第３行に対する外部コードの出力ソフト値は、たとえば、Ｙ０３＝average（Ｘ０１，Ｘ０５，Ｘ０７）のように、Ｘ０１，Ｘ０３，Ｘ０５，および、Ｘ０７から計算され得る。他の例において、Ｙ０１とＹ０３を、同じであるよう、たとえば、average（Ｘ０１，Ｘ０３，Ｘ０５，Ｘ０７）に等しくなるように、セットすることが可能である。
【００４５】
外部コード復調の出力ソフト値は、次にデインターリーブされ、内部コード復調を改善するために、内部コード復調器４０４へ戻される。特に、次に、内部コード復調器４０４は、各行の改善されたソフトデコード値を生成するために、オリジナルの受信された信号とデインターリーブされた外部コードの出力ソフト値を考慮することが可能である。たとえば、第１行において、内部コード復調器４０４は、オリジナルの受信された信号とＹ０１，Ｙ２１，Ｙ４１を使用し、Ｘ０１，Ｘ２１，およびＸ４１の新しいセットを生成する。ここで、Ｙ０１，Ｙ２１，Ｙ４１は、それぞれ、第１行のビットｕ０，ｕ２，ｕ４に対する外部コードの出力ソフト値であり、Ｘ０１，Ｘ２１，およびＸ４１は、それぞれ、第１行のビットｕ０，ｕ２，ｕ４に対する内部コードの出力ソフト値である。上記の手順は、内部コードの出力ソフト値の新セットを生成するために、他の行のすべてに対して繰り返す。内部コードの新出力ソフト値で、インターリーバ４０６、外部コード復調器４０８、および、デインターリーバ４１０は、外部コードの出力ソフト値の新セットを生成することが可能である。上記の反復手順は、ある終了基準に遭遇するまで繰り返す。
【００４６】
図５−７を参照すると、無線端末におけるアンテナ切り替えを容易にするために、受信された連結コード信号上で、反復的ＳＩＳＯ・非コヒーレント・復調プロトコルを実行することに関係する方法が示される。説明の簡略化ために、方法は一連の動作（act）として示され説明されるが、その一方で、１つ以上の実施形態に従って、いくつかの動作がここで示され説明されるものとは異なる順序で、および／または、他の動作と同時に、発生し得るので、方法が動作の順序によって限定されないことは理解され、認識されるべきである。たとえば、当業者は、状態図におけるように、方法が一連の相互関係した状態または出来事として、選択的に示され得ることを理解し認識するであろう。さらに、請求された主題に従い、方法を実現するためには、すべての示された動作が使用されるとは限らないかもしれない。
【００４７】
図５は、１つ以上の態様に従い、複数の受信アンテナと単一の受信機チェーンを持つ無線装置において、アンテナ切り替えを実行するための方法５００の実例である。たとえば、方法５００は、ここにおいて説明されたようにアンテナ切り替えを達成するために、図１に関係して上記で述べられた種々のアクションの実行を容易にすることができる。５０２において、コヒーレント・復調プロトコルは、第１スーパースロットの第２送信期間中に実行され得る、そして、第１アンテナに対するＳＮＲは推定され得る。たとえば、スーパースロットは、ストリップ・シンボルが送信される第１期間と非ストリップ・シンボルが送信される第２期間を含み得る。たとえば、スーパースロットは、ストリップ・シンボルが送信される第１期間、および非ストリップ・シンボルが送信される第２期間を含む。たとえば、図１に関係して上記で説明された第１スーパースロットは、第１期間としてストリップ・シンボルを、第２期間としての残りの期間において非ストリップ・シンボルを含む。態様によれば、パイロット信号は、第１スーパースロットの第２期間内に送信され得る。つまり、無線端末は、受信信号をデコードするために、第１アンテナに対応するチャンネルＨ１を推定し、コヒーレント・復調プロトコルを使用することができる。たとえば、無線装置は、パイロットのセットを受信し、チャンネル推定を引き出すことができる、それにより、無線装置が、第１スーパースロットの第２期間内に受信された信号に対して、コヒーレント・復調を実行することを可能にする。
【００４８】
５０４において、第１スーパースロットが完了しているかどうか、および／または、第２スーパースロットの第１送信期間が差し迫っているかどうかの決定が行われ得る。第１スーパースロットが完了している場合、そこでＳＮＲを評価するために、５０６において、第１アンテナから第２アンテナへの切り替えが行なわれ得る。第２スーパースロットの第１期間において、無線端末は、信号を受信するために、たとえば、第２スーパースロットの第１ストリップ・シンボルにおいてアンテナ２、および第２スーパースロットの第２ストリップ・シンボルにおいてアンテナ３のように、異なるアンテナに切り替えることができる。結果として、上記の図１に示されるように、チャンネルは、第１と第２ストリップ・シンボルにおいて、Ｈ１からＨ２とＨ３へそれぞれ変更される。チャンネルＨ２またはＨ３は、受信アンテナの変化によって、チャンネルＨ１と異なっているかもしれないことは注目すべきである。したがって、第１スーパースロットにおいて得られたＨ１のチャンネル推定は、チャンネルＨ２またはＨ３に対して適用可能ではないかもしれない。それゆえに、無線端末は、ストリップ・シンボルにおいて受信シンボルをデコードするために、非コヒーレント復調プロトコルを使用する。つまり、５０８において、たとえば、非コヒーレント変調方式で変調され、１つ以上のストリップ・シンボルに対して周波数スペクトルにわたって広げられた情報ビットを持つ信号が受信され得る。１つの例によると、ストリップ・シンボルは連結されたコードを含み得るが、それには制限されない。
【００４９】
５１０において、少なくとも第２アンテナに対するＳＮＲは、第２スーパースロットの第１送信期間中に推定され得る。第２スーパースロットの第１送信期間は、図１の第２スーパースロットのはじめにおいて示されたストリップ・シンボルのような、たとえば、１つ以上のストリップ・シンボル持続期間に対応し得る。非コヒーレント検波プロトコルは、５１２において、第２スーパースロットの第１送信期間において実行され得る。非コヒーレント検波プロトコルは、第２スーパースロットの第１送信期間において受信された信号のみを使用し、いかなる前の時間内に受信された信号も使用しない。ＳＮＲは、さらに、少なくとも第２アンテナに対しても推定される。非コヒーレント検波プロトコルは、上記の図４に関係して説明されたように、インターリーブされた／デインターリーブされた情報ビットを持つプロトコルであり得る。５１４において、コヒーレント検波期間中の第１アンテナに対して推定されたＳＮＲと、非コヒーレントＳＩＳ検波期間中の少なくとも第２アンテナに対して検出されたＳＮＲとの間で、比較が行われ得る。最後に、５１６において、無線端末は、５１４における比較に基づいて最高のＳＮＲを持つアンテナへ切り替えることができる。このように、無線端末は、スーパースロット（例、１１．４ｍｓ）毎と同様の頻度で、複数の受信アンテナ間で切り替えることが可能となり得る。
【００５０】
関連する態様によれば、アンテナ切り替えは、アンテナＳＮＲ間に、前もって決定された閾値差の関数であり得る。たとえば、５１４におけるＳＮＲの差は、アンテナ間の切り替えを正当化するために、いくつかの前もって定義された閾値（例、０．２５ｄＢ，０．５ｄＢ，１ｄＢ等）を超えることを要求され得る。例によると、前もって定義された閾値が０．５ｄＢであり、第１アンテナが５０２において推定されたようなＸｄＢのＳＮＲを持つ場合には、５１０において推定されたような第２アンテナのＳＮＲは、第１受信アンテナから第２受信アンテナへの切り替えを保証するために、Ｘ＋０．５ｄＢを満たすかまたは超える必要があるだろう。
【００５１】
図６は、１つ以上の態様に従い、連結されたコードを復調し、インターリーブするために、反復的ＳＩＳＯ非コヒーレント復調プロトコルを使用して、通信信号をデコードするための方法６００を示す。たとえば、方法６００は、図４に関係して上記で説明されたような受信された連結信号の反復的復調とインターリーブを容易にすることが可能である。その方法に従えば、複数の情報ビットを含むシンボルのセットは、６０２において受信され得る。受信されたシンボルセットは、複数の情報ビットを含み、複数のシンボルサブセットに分割され得る。その各々は、６０４において、内部コード復調プロトコルに対する入力へ対応する。シンボルサブセットの内部コード復調に対する複数の初期の先験的な値は、６０６において選択され得る。６０８において、シンボルサブセットは、複数の第１ソフト情報値を生成するために、初期の先験的な値と内部コード生成行列を使用して、復調され得る。第１ソフト情報値の各々は、６１０において、外部コード生成行列を使用することにより、複数の情報ビットの１つと関係付けられ得る。６１２において、複数の第２ソフト情報値は、外部コード復調の出力として計算され得る。そこでは、第２ソフト情報値の各々は情報ビットの１つに対応し、情報ビットと関連する第１ソフト情報値の少なくとも２つを使用して計算される。６１４において、第２ソフト情報値は、次に、受信された入力シンボルの内部コード復調の次の反復における使用のために先験的な値の新セットを決定することに使用され得る。そこでは、初期の先験的な値は、６０８における復調で開始する、方法６００の後続の反復に対する新しい先験的な値によって置き替えられる。このように、方法６００は、低複雑性と高効率の非コヒーレントＳＩＳＯプロトコルを介して、ストリップ・シンボルを効率的にデコードするために、受信されたストリップ・シンボル（あるいはチャンネル）上で実行され得る、反復する一連の動作を提供する。
【００５２】
関係する態様によれば、無線端末は、リードマラー（Reed-Muller）符号化技法を使用して符号化されてきた信号を受信し、受信された信号に対して方法６００を実行することができる。さらに、無線端末により受信された連結コードは、そのような符号化技法と関連するある種の特性を示し得る。たとえば、受信された信号は、少なくとも２つのサブブロックを含む内部コードと結合した外部コードを使用して、無線端末により受信以前に符号化され得る。つまり、方法６００は、図４のデコーダ４０２により実行されたものと類似したデコード・アルゴリズムの実行を容易にすることが認識されるだろう。
【００５３】
他の態様によると、６０２において受信されたシンボルのセットは、６０４において、少なくとも２つのサブセットに分割され得る。さらに、各サブセットに対して使用される内部コード生成行列は、サブセットからサブセットまで同じであるか、または、異なるかもしれない。ある与えられた情報ビットに対する第２ソフト情報値は、ビットと関連する２つ以上の第１ソフト情報値の平均であるかもしれない。
【００５４】
図７は、種々の態様に従い、無線通信環境において、移動アンテナ切り替えを可能にするために、ストリップ・シンボルを符号化するための方法７００の実例である。７０２において、ビット情報ベクトルは、少なくとも２つの行と任意の適切な数の列を含むことができるビット行列を生成するために、外部コード生成行列を使用して符号化され得る。７０４において、コードワードは、リードマラー符号を含み得るが、それに限定されない、内部コード生成行列をインプリメントすることにより、ビット行列における各行に対して生成され得る。内部コード生成行列は、ビット行列内のすべての行について同じであるか、または、行から行へ異なるかもしれない。７０６において、７０４において生成されたコードワードは、単一のコードワードに連結され得る。７０８において、連結されたコードワードは、たくさんの変調シンボルへマッピングされ得る。変調シンボルは、７１０におけるストリップ・チャンネル内のトーンのサブセットへマッピングされ得る。変調シンボルがマッピングされるトーンのサブセットは、前もって決定され得る。さらに、変調シンボルがマッピングされないストリップ・シンボル・トーンは、ストリップ・シンボルが送信される場合には、ゼロ・エネルギー・レベルで送信され得る。例によれば、ストリップ・シンボル内のトーンの約２０％以上が、ゼロ・エネルギー・レベルで送信され得る。このように、方法７００は、図１に関係して上記で説明されたもののような、種々の符号化アクションを実行することを容易にするために使用され得る、そして、そのようなアクションのことごとくが、方法７００との関係で実行され得る。
【００５５】
図８は、ここで説明された１つ以上の態様に従い、通信環境において、受信チェーンごとの複数の受信アンテナを持つ無線端末において、アンテナ切り替えを容易にするシステム８００を示す。システム８００は、プロセッサ、ソフトウェアまたはその組み合わせ（例、ファームウェア）によりインプリメントされた機能を表すことが可能な、一連の相互関係のある機能的ブロックとして表される。たとえば、システム８００は、図１に関係して上記で説明されるような種々の動作を実行するためにモジュールを提供する。システム８００は、第１スーパースロットの間でコヒーレント復調８０２を実行し、第１アンテナに対してＳＮＲを推定するためのモジュールを含む。システム８００は、第１スーパースロットが８０４を終了しているかどうかを決定するためのモジュールと、次の（例、少なくとも第２）アンテナ８０６へ切り替えるためのモジュールを追加的に含む。システム８００は、少なくとも第２アンテナに対してＳＮＲ８１０を推定するためのモジュールと少なくとも第２アンテナに対する非コヒーレント復調８１２を実行するためのモジュールと同様に、ビットインターリーブされた、連結ストリップ・シンボル８０８を受信するためのモジュールもさらに含む。システム８００は、ＳＮＲが推定されているアンテナのＳＮＲ８１４を比較するためのモジュールと、ＳＮＲ比較の関数として後のスーパースロット中に信号を受信するために、アンテナ８１６を選択するためのモジュールをさらになおも含む。システム８００とそれによって含まれる種々モジュールは、上記で説明された方法を実行することができる、および／または、ここで説明された種々のシステムへ任意の必要な機能を与えることができることは、理解されるべきである。
【００５６】
図９は、種々の態様に従い、反復的ソフト復調とインターリーブアルゴリズムを実行することにより、無線端末において受信された連結コード信号をデコードすることを容易にするシステム９００を示す。システム９００は、プロセッサ、ソフトウェア、またはその組み合わせ（例、ファームウェア）によりインプリメントされた機能をあらわすことが可能な、一連の相互関係のある機能的ブロックとしてあらわされる。たとえば、システム９００は、図４と関係して上記で説明されるような種々の動作を実行するためにモジュールを提供することができる。システム９００は、連結されたコードを使用して符号化されてきたかもしれないシンボルのセットを受信するためのモジュール９０２と、受信されたシンボルのセットを複数のサブセットに分割するためのモジュール９０４を含む。システム９００は、先験的な値の初期セットを選択するためのモジュール９０６をさらに含むが、それは、ソフト情報値の第１セットを生成するために、内部コード生成行列とともに復調するためのモジュール９０８により使用され得る。システム９００は、外部コード生成行列を使用して、受信されたシンボルセット内に含まれた複数の情報ビットの１つに、第１ソフト情報値の各々を関係付けるためのモジュール９１０をさらに含む。計算するためのモジュール９１２は、ビットと関連する第１ソフト情報値の少なくとも２つを使用して、情報ビットに対してソフト情報値の第２セットを計算することができる。決定するためのモジュール９１４は、次に、ソフト情報値の第２セットの関数として、先験的な値の新しいセットを決定することができるが、それは、それぞれのモジュール９０８、９１０、９１２、および９１４により復調し、関連付けし、計算し、決定する次の反復のために、先験的な値の初期セットを置き替えることができる。システム９００とそれによって含まれる種々のモジュールは、上記に説明された方法を実行することができること、および／または、ここで説明された種々のシステムへ任意の必要な機能を与えることができることは、理解されるべきである。
【００５７】
図１０は、１つ以上の態様に従い、無線通信環境における無線端末により、アンテナ切り替えを可能にする連結コード・ストリップ・シンボルを符号化することを容易にするシステムを示す。システム１０００は、プロセッサ、ソフトウェア、または、その組み合わせ（例、ファームウェア）によりインプリメントされた機能を表すことが可能な、一連の相互関係のある機能的ブロックとしてあらわされる。たとえば、システム１０００は、図７に関係して上記で説明されるような種々の動作を実行するためのモジュールを供給することができる。システム１０００は、ビット行列を生成するために、外部コードで情報ビットベクトルを符号化するためのモジュール１１０２を含む。システム１０００は、内部コード生成行列を使用して、ビット行列内の各行に対して、コードワードを生成するためのモジュール１００４をさらに含む。さらに、システム１０００は、単一のコードワードへコードワードを連結するためのモジュール１１０６を含み得る。連結コードワードは、連結コードワードをマッピングするためのモジュール１００８により、たくさんの変調シンボルへマッピングされ得る。さらに、変調シンボルをマッピングするためのモジュール１０１０は、ストリップ・シンボル内のトーンのサブセットへ変調シンボルをマッピングすることができる。システム１０００とそれにより含まれる種々のモジュールは、上記で説明された方法を実行することができること、および／または、ここで説明された種々のシステムへ任意の必要な機能を与えることができることは、理解するべきである。
【００５８】
図１１は、セル１  １１０２とセルＭ  １１０４のような複数のセルを含む本発明に従ってインプリメントされた典型的な通信システム１１００を示す。セル境界領域１１６８により示されるように、隣接するセル１１０２、１１０４は、わずかにオーバーラップし、それによって、隣接するセル内の基地局により送信されている信号間の信号干渉について可能性を提供していることは注意すべきである。典型的なシステム１１００の各セル１１０２、１１０４は、３つのセクタを含む。複数のセクタに細分化されていないセル（Ｎ＝１）、２つのセクタを持つセル（Ｎ＝２）、そして、３つのセクタより多くを持つセル（Ｎ＞３）も、発明にしたがって可能である。セル１１０２は、第１セクタ、セクタ１  １１１０、第２セクタ、セクタ２  １１１２、そして、第３セクタ、セクタ３  １１１４を含む。各セクタ１１１０、１１１２、１１１４は、２つのセクタ境界領域を持つ、つまり、各境界領域は２つ隣接したセクタ間で共有される。セクタ境界領域は、隣接するセクタ内の基地局により送信されている信号間の信号干渉について可能性を提供する。ライン１１１６は、セクタ１  １１１０とセクタ２  １１１２間のセクタ境界領域を表す。ライン１１１８は、セクタ２  １１１２とセクタ３  １１１４間のセクタ境界領域を表す。ライン１１２０は、セクタ３  １１１４とセクタ１  １１１０間のセクタ境界領域を表す。同様に、セルＭ  １１０４は第１セクタ、セクタ１  １１２２、第２セクタ、セクタ２  １１２４、そして、第３セクタ、セクタ３  １１２６を含む。ライン１１２８はセクタ１  １１２２とセクタ２  １１２４間のセクタ境界領域を表す。ライン１１３０はセクタ２  １１２４とセクタ３  １１２６間のセクタ境界領域を表す。ライン１１３２はセクタ３  １１２６とセクタ１  １１２２間の境界領域を表す。セル１  １１０２は、基地局（ＢＳ）、基地局１  １１０６  、および、各セクタ１１１０、１１１２、１１１４の複数のエンド・ノード（ＥＮ）を含む。セクタ１  １１１０は、無線リンク１１４０、１１４２を通じて、個々にＢＳ１１０６へ結合されたＥＮ（１）１１３６とＥＮ（Ｘ）１１３８を含む。セクタ２  １１１２は、無線リンク１１４８、１１５０を通じて、個々にＢＳ１１０６へ結合されたＥＮ（１’）１１４４とＥＮ（Ｘ’）１１４６を含む。セクタ３  １１２６は、無線リンク１１５６、１１５８を通じて、個々にＢＳ１１０６へ結合されたＥＮ（１”）１１５２とＥＮ（Ｘ”）１１５４を含む。同様に、セルＭ  １１０４は、基地局Ｍ  １１０８と、各セクタ１１２２、１１２４、１１２６内の複数のエンド・ノード（ＥＮ）を含む。セクタ１  １１２２は、無線リンク１１４０’、１１４２’を通じて、個々にＢＳ  Ｍ  １１０８へ結合されたＥＮ（１）１１３６’とＥＮ（Ｘ）１１３８’を含む。セクタ２  １１２４は、無線リンク１１４８’、１１５０’を通じて、個々にＢＳＭ１１０８へ結合されたＥＮ（１’）１１４４’とＥＮ（Ｘ’）１１４６’を含む、セクタ３  １１２６は、無線リンク１１５６’、１１５８’を通じて、個々にＢＳ１１０８へ結合されたＥＮ（１”）１１５２’とＥＮ（Ｘ”）１１５４’を含む。システム１１００は、ネットワーク・リンク１１６２、１１���４を通じて、個々にＢＳ１  １１０６とＢＳＭ  １１０８へ結合されるネットワーク・ノード１１６０も含む。ネットワーク・ノード１１６０は、たとえば、他の基地局、ＡＡＡサーバ・ノード、中間ノード、ルータ等、および、ネットワーク・リンク１１６６を通じたインターネットのような、他のネットワーク・ノードへも結合される。ネットワーク・リンク１１６２、１１６４、１１６６は、たとえば、光ファイバーケーブルであるかもしれない。たとえば、ＥＮ１  １１３６のような各エンド・ノードは、受信機と同様に送信機も含む無線端末であるかもしれない。たとえば、ＥＮ（１）１１３６のような無線端末は、システム１１００を通じて移動し、ＥＮが現在位置するセル内の基地局との無線リンクを通じて、通信することができる。たとえばＥＮ（１）１１３６のような無線端末（ＷＴ）は、たとえばＢＳ１１０６のような基地局および／またはネットワーク・ノード１１６０を通じて、たとえばシステム１１００内またはシステム１１００外部の他のＷＴのようなピア・ノードと通信することができる。たとえばＥＮ（１）１１３６のようなＷＴは、携帯電話、無線モデム等を持つ携帯情報端末のような移動通信装置であるかもしれない。各基地局は、たとえば非ストリップ・シンボル期間のような、残りのシンボル期間内においてトーンを割り当て、トーンホッピングを決定するために使用される方法とは異なる方法を、発明に従って、ストリップ・シンボル期間に対して使用して、トーン・サブセット割り当てを実行する。無線端末は、それらが特定のストリップ・シンボル期間においてデータと情報を受信するために使用することが可能なトーンを決定するために、基地局から受信される情報（例、基地局スロープＩＤ、セクタＩＤ情報）とともに、本発明のトーン・サブセット割り当て方法を使用する。トーンの各々にわたるセクタ間およびセル間干渉を広げるために、発明にしたがって、トーン・サブセット割り当てシーケンスが構築される。
【００５９】
図１２は、本発明に従った典型的な基地局１２００を示す。典型的な基地局１２００は、異なるトーン・サブセット割り当てシーケンスがセルの各異なるセクタ・タイプに対して生成されるように、本発明のトーン・サブセット割り当てシーケンスをインプリメントする。基地局１２００は、図１１のシステム１１２０の基地局１１２６、１１２８のいずれか１つとして、使用され得る。基地局１２００は、受信機１２０２、送信機１２０４、たとえばＣＰＵのようなプロセッサ１２０６、入力／出力インターフェース１２０８、および、メモリ１２１０を含むが、それらは、諸要素１２０２、１２０４、１２０６、１２０８、および１２１０がデータと情報を交換することができるバス１２０９により共に結合される。
【００６０】
受信機１２０２に結合されたセクタ化されたアンテナ１２０３は、基地局のセル内の各セクタからの無線端末送信から、データおよび他の信号、例、チャンネル・レポート、を受信するために使用される。送信機１２０４に結合されたセクタ化されたアンテナ１２０５は、スーパースロットの第１送信期間等において、データと他の信号、例、制御信号、パイロット信号、ビーコン信号、ストリップ・シンボル、を、基地局のセルの各セクタ内の無線端末１３００（図１３を参照）へ送信するために使用される。発明の種々の実施形態において、基地局１２００は、複数の受信機１２０２と複数の送信機１２０４、例、各セクタに対する個別の受信機１２０２と各セクタに対する個別の送信機１２０４、を使用することができる。プロセッサ１２０６は、たとえば汎用中央処理装置（ＣＰＵ）であるかもしれない。プロセッサ１２０６は、メモリ１２１０内に格納された１つ以上のルーティン１２１８の指示の下に基地局１２００の動作を制御し、本発明の方法を実現する。Ｉ  ／Ｏインターフェース１２０８は、他のネットワーク・ノードへの連結を提供し、他の基地局、アクセス・ルータ、ＡＡＡサーバ・ノード等、他のネットワーク、および、インターネットへＢＳ１２００を結合する。メモリ１２１０は、ルーティン１２１８とデータ／情報１２２０を含む。
【００６１】
データ／情報１２２０は、データ１２３６、ダウンリンク・ストリップ・シンボル時間情報１２４０とダウンリンク・トーン情報１２４２を含む連結符号化情報１２３８、および、ＷＴ１情報１２４６とＷＴＮ情報１２６０のような、複数のＷＴ情報のセットを含む無線端末（ＷＴ）データ／情報１２４４を含む。たとえば、ＷＴ１情報１２４６のようなＷＴ情報の各セットは、データ１２４８、端末ＩＤ１２５０、セクタＩＤ１２５２、アップリンク・チャンネル情報１２５４、ダウンリンク・チャンネル情報１２５６、および、モード情報１２５８を含む。
【００６２】
ルーティン１２１８は、通信ルーティン１２２２と基地局制御ルーティン１２２４を含む。基地局制御ルーティン１２２４は、エンコーダ１２１４により実現され得る連結符号化ルーティン１２２８を含み得る、ストリップ・チャンネル・エンコーダ・ルーティンを含む。連結符号化ルーティン１２２８は、図１に関係して上記で説明されたものと類似するエンコーダ動作を実行することを容易にすることができる。
【００６３】
データ１２３６は、ＷＴへの送信以前に符号化するために、送信機１２０４のエンコーダ１２１４へ送信される送信されたデータと、受信に続いて、受信機１２０２のデコーダ１２１２を通じて処理されてきたＷＴから受信されたデータを含む。ダウンリンク・ストリップ・シンボル時間情報１２４０は、スーパースロット、ビーコンスロット、そして、ウルトラスロット構成情報のようなフレーム同期構成情報と、ある与えられたシンボル期間がストリップ・シンボル期間であるかどうかを、そして、そうである場合には、ストリップ・シンボル期間の指数を、そして、基地局により使用されるトーン・サブセット割り当てシーケンスを切り詰めるために、ストリップ・シンボルがリセットポイントであるかどうかを、特定する情報を含む。ダウンリンク・トーン情報１２４２は、基地局１２００に割り当てられたキャリア周波数、トーンの数と周波数、そして、ストリップ・シンボル期間へ割り当てられるトーン・サブセットのセットを含む情報と、スロープ、スロープ指数とセクタ・タイプのような他のセルとセクタ特定値を含む。
【００６４】
データ１２４８は、ＷＴ１  １３００がピア・ノードから受信してきたデータ、ＷＴ１  １３００がピア・ノードへ送信されることを望むデータ、そして、ダウンリンク・チャンネル品質レポート・フィードバック情報を含み得る。端末ＩＤ１２５０は、ＷＴ１  １３００を識別するＩＤを割り当てられた基地局１２００である。セクタＩＤ１２５２は、ＷＴ１  １３００が動作するセクタを識別する情報を含む。セクタＩＤ１２５２は、たとえば、セクタ・タイプを決定するために、使用されることが可能である。アップリンク・チャンネル情報１２５４は、たとえば、データに対するアップリンク・トラフィック・チャンネル・セグメント、リクエスト、パワー制御、タイミング制御等に対する専用アップリンク制御チャンネルを使用するために、ＷＴ１  １３００に対するチャンネル・セグメントを識別する情報を含む。ＷＴ１  １３００へ割り当てられた各アップリンク・チャンネルは１つ以上のロジカル・トーンを含み、各ロジカル・トーンが本発明に従ったアップリンク・ホッピングシーケンスに追随する。ダウンリンク・チャンネル情報１２５６は、たとえば、ユーザ・データに対するダウンリンク・トラフィック・チャンネル・セグメントのような、ＷＴ１  １３００へのデータおよび／または情報を運ぶために、チャンネル・セグメントを識別する情報を含む。ＷＴ１  １３００へ割り当てられた各ダウンリンク・チャンネルは、１つ以上のロジカル・トーンを含み、各々がダウンリンク・ホッピングシーケンスに従う。モード情報１２５８は、たとえばスリープ、ホールド、オンのような、ＷＴ１  １３００の動作状態を識別する情報を含む。通信ルーティン１２２２は、種々の通信動作を実行し、種々の通信プロトコルをインプリメントするために、基地局１２００を制御する。基地局制御ルーティン１２２４は、たとえば、信号生成と受信、スケジューリングのような、基礎的な基地局の機能的タスクを実行するために、そして、ストリップ・シンボル期間中に本発明のトーン・サブセット割り当てシーケンスを使用して、信号を無線端末へ送信することを含む、本発明の方法のステップをインプリメントするために、基地局１２００の制御に使用される。
【００６５】
図１３は、図１１で示されるシステム１１００の、たとえばＥＮ（１）１１３６のような、無線端末（エンド・ノード）のいずれか１つとして使用されることが可能な、典型的な無線端末（エンド・ノード）を示す。無線端末１３００は、本発明に従った、トーン・サブセット割り当てシーケンスをインプリメントする。無線端末１３００は、デコーダ１３１２（例、図４のデコーダ４０２に類似するかもしれない）を含む受信機１３０２、エンコーダ１３１４を含む送信機１３０４、プロセッサ１３０６、そして、メモリ１３０８を含むが、それらは、種々のエレメント１３０２、１３０４、１３０６、１３０８がデータと情報を交換できるバス１３１０により、一緒に結合される。基地局１２００からの信号を受信するために使用されるアンテナ１３０３は、受信機１３０２へ結合される。たとえば基地局１２００へ信号を送信するために使用されるアンテナ１３０５は、送信機１３０４へ結合される。
【００６６】
たとえばＣＰＵのようなプロセッサ１３０６は、無線端末１３００の動作を制御し、ルーティン１３２０を実行し、メモリ１３０８内のデータ／情報１３２２を使用することにより、本発明の方法を実現する。データ／情報１３２２は、ユーザ・データ１３３４、ユーザ情報１３３６、そして、復調／インターリーブ情報１３５０を含む。ユーザ・データ１３３４は、ピア・ノード向けであり、送信機１３０４による基地局１２００への送信以前に符号化するためのエンコーダ１３１４へ転送されるデータと、受信機１３０２内のデコーダ１３１２により処理されてきた、基地局１２００から受信されたデータを含み得る。ユーザ情報１３３６は、アップリンク・チャンネル情報１３３８、ダウンリンク・チャンネル情報１３４０、端末ＩＤ情報１３４２、基地局ＩＤ情報１３４４、セクタＩＤ情報１３４６、そしてモード情報１３４８を含む。アップリンク・チャンネル情報１３３８は、基地局１２００へ送信する際に使用するために、無線端末１３００に対して基地局１２００により割り当てられてきたアップリンク・チャンネル・セグメントを識別する情報を含む。アップリンク・チャンネルは、アップリンク・トラフィック・チャンネル、たとえば、リクエスト・チャンネル、パワー制御チャンネル、そして、タイミング制御チャンネルのような専用アップリンク制御チャンネルを含み得る。各アップリンク・チャンネルは、１つ以上のロジック・トーンを含み、各々のロジカル・チャンネルは、本発明に従った、アップリンク・トーン・ホッピングシーケンスに従う。アップリンク・ホッピングシーケンスはセルの各セクタ・タイプ間と隣接するセル間で異なる。ダウンリンク・チャンネル情報１３４０は、ＢＳ１２００がＷＴ１３００へデータ／情報を送信している際に使用のために、基地局１２００によりＷＴ１３００に割り当てられたダウンリンク・チャンネル・セグメントを識別する情報を含む。ダウンリンク・チャンネルは、ダウンリンク・トラフィック・チャンネルと割り当てチャンネルを含み、各ダウンリンク・チャンネルは、１つ以上のロジカル・トーンを含み、各ロジカル・トーンは、セルの各セクタ間で同期化されるダウンリンク・ホッピングシーケンスに従う。
【００６７】
ユーザ情報１３３６は、基地局１２００が割り当てた識別である端末ＩＤ情報１３４２、ＷＴが通信を確立してきた特定の基地局１２００を識別する基地局ＩＤ情報１３４４、そして、ＷＴ１３００が現在位置するセルの特定のセクタを識別するセクタＩＤ情報１３４６も含む。基地局ＩＤ１３４４は、セル・スロープ値を供給し、セクタＩＤ情報１３４６はセクタ指数タイプを供給する、セル・スロープ値とセクタ指数タイプは、発明に従ったアップリンク・トーン・ホッピングシーケンスを得るために使用され得る。ユーザ情報１３３６内にさらに含まれたモード情報１３４８は、ＷＴ１３００がスリープモード、ホールドモード、またはオンモードにあるかどうかを識別する。
【００６８】
復調／インターリーブ情報１３５０は、ダウンリンク・ストリップ・シンボル時間情報１３５２とダウンリンク・トーン情報１３５４を含む。ダウンリンク・ストリップ・シンボル時間情報１３５２は、スーパースロット、ビーコンスロット、そして、ウルトラスロット構成情報のようなフレーム同期構成情報と、ある与えられたシンボル期間がストリップ・シンボル期間であるかどうかを、そして、そうである場合には、ストリップ・シンボル期間の指数を、そして、基地局により使用されたトーン・サブセット割り当てシーケンスを切り詰めるために、ストリップ・シンボルがリセットポイントであるかどうかを、明確にする情報を含む。ダウンリンク・トーン情報１３５４は、基地局１０００に割り当てられたキャリア周波数、トーンの数と周波数、そして、ストリップ・シンボル期間へ割り当てられたトーン・サブセットのセットを含む情報と、スロープ、スロープ指数、そして、セクタ・タイプのような他のセルおよびセクタの特定値を含む。
【００６９】
ルーティン１３２０は、通信ルーティン１３２４と無線端末制御ルーティン１３２６を含む。通信ルーティン１３２４はＷＴ１３００により使用される種々の通信プロトコルを制御する。無線端末制御ルーティン１３２６は、受信機１３０２と送信機１３０４の制御を含む基礎的な無線端末１３００の機能を制御する。無線端末制御ルーティン１３２６は反復的デコード・ルーティン１３２８を含む。反復的デコード・ルーティン１３２８は、ストリップ・シンボル期間に対する非コヒーレント復調ルーティン１３３０と、連結符号化技法を使用して、符号化された受信ストリップ・シンボルを復調することを容易にするためのインターリーブ／デインターリーブ・ルーティン１３３２を含む。
【００７０】
図１４は、無線通信システム１４００の例を示す。無線通信システム１４００は、簡潔さのために、１つの基地局と１つのユーザ装置を描く。しかしながら、システムが１つより多くの基地局および／または１つより多くのユーザ装置を含むことが可能であり、そこにおいて、追加的基地局および／またはユーザ装置は、以下で説明される典型的な基地局とユーザ装置とは、本質的に類似しているかまたは異なることがあり得ることは、認識されるべきである。さらに、基地局および／またはユーザ装置は、ここで説明されたシステムおよび／または方法を使用することが可能であることは認識されるべきである。
【００７１】
次に図１４を参照すると、ダウンリンクについては、アクセスポイント１４０５において、送信（ＴＹ）データ・プロセッサ１４１０は、トラフィック・データを受信し、フォーマット化し、コード化し、インターリーブし、そして変調（つまりシンボルマッピング）し、そして、変調シンボル（“データシンボル”）を供給する。シンボル変調器１４１５は、データシンボルとパイロットシンボルを受け取り、処理し、そして、シンボルのストリームを供給する。シンボル変調器１４１５は、データとパイロットシンボルを多重化し、それらを送信機ユニット（ＴＭＴＲ）１４２０へ供給する。各送信シンボルは、データシンボル、パイロットシンボル、または、ゼロの信号値であるかもしれない。パイロットシンボルは、各シンボル期間において継続的に送信され得る。パイロットシンボルは、周波数分割多重化（ＦＤＭ）、直交周波数分割多重化（ＯＦＤＭ）、時分割多重化（ＴＤＭ）、周波数分割多重化（ＦＤＭ）、または、符号分割多重化（ＣＤＭ）されることが可能である。
【００７２】
ＴＭＴＲ１４２０は、シンボルのストリームを受信し、１つ以上のアナログ信号に変換し、そして、さらに、無線チャンネル上の送信に相応しいダウンリンク信号を生成するために、アナログ信号を調整（例、増幅、フィルタ、そして、周波数アップコンバート）する。ダウンリンク信号は、次に、ユーザ装置へアンテナ１４２５を通じて送信される。ユーザ装置１４３０において、アンテナ１４３５は、ダウンリンク信号を受信し、受信信号を受信機ユニット（ＲＣＶＲ）１４４０へ供給する。受信機ユニット１４４０は、受信信号を調整（例、フィルタ、増幅、そして、周波数ダウンコンバート）し、サンプルを得るために調整された信号をデジタル化する。シンボル復調器１４４５は、受信されたパイロットシンボルを復調し、チャンネル推定のためにプロセッサ１４５０へ供給する。シンボル復調器１４４５は、さらに、プロセッサ１４５０からダウンリンクに対する周波数レスポンス推定を受け取り、（送信されたデータシンボルの推定である）データシンボル推定を得るために受信されたデータシンボルに対してデータ復調を実行し、そして、ＲＸデータ・プロセッサ１４５５にデータシンボル推定を供給する。そして、それは、送信されたトラフィック・データを回復するために、データシンボル推定を、復調（例、シンボル・デマップ）し、デインターリーブし、そして、デコードする。シンボル復調器１４４５とＲＸデータ・プロセッサ１４５５による処理は、アクセスポイント１４０５において、シンボル変調器１４１５とＴＸデータ・プロセッサ１４１０による個々の処理に相補的である。
【００７３】
アップリンクについては、ＴＸデータ・プロセッサ１４６０は、トラフィック・データを処理し、データシンボルを供給する。シンボル変調器１４６５は、パイロットシンボルを持つデータシンボルを受け取り、多重化し、変調を実行し、そして、シンボルのストリームを供給する。送信機ユニット１４７０は、次に、シンボルのストリームを受け取り、アンテナ１４３５によりアクセスポイント１４０５へ送信されるアップリンク信号を生成するために処理する。
【００７４】
アクセスポイント１４０５において、ユーザ装置１４３０からのアップリンク信号は、アンテナ１４２５により受信され、サンプルを得るために、受信機ユニット１４７５により処理される。シンボル復調器１４８０は、次に、サンプルを処理し、アップリンクについて、受信されたパイロットシンボルとデータシンボル推定を供給する。ＲＸデータ・プロセッサ１４８５は、ユーザ装置１４３０により送信されたトラフィック・データを回復するために、データシンボル推定を処理する。プロセッサ１４９０は、アップリンクにおいて送信する各アクティブ・ユーザ装置についてチャンネル推定を実行する。複数のユーザ装置は、それらにそれぞれ割り当てられたパイロット・サブキャリアのセットのアップリンク上で、パイロットを同時に送信することができる。ここで、パイロット・サブキャリアのセットは、インターレースされ得る。
【００７５】
プロセッサ１４９０と１４５０は、アクセスポイント１４０５とユーザ装置１４３０における動作をそれぞれ指示（例、制御、調整、管理）する。それぞれのプロセッサ１４９０と１４５０は、プログラム・コードとデータを格納するメモリ・ユニット（示されていない）と関係することが可能である。プロセッサ１４９０と１４５０は、ここで説明された任意の方法を利用することが可能である。それぞれのプロセッサ１４９０と１４５０は、さらに、アップリンクとダウンリンクそれぞれについて、周波数およびインパルス応答の推定を導出するために演算を実行することもできる。
【００７６】
ソフトウェア・インプリメンテーションについては、ここで説明された技法が、ここで説明された機能を実行するモジュール（例、手順、関数など）でインプリメントされ得る。ソフトウェア・コードは、メモリ・ユニット内に格納され、プロセッサにより実行され得る。メモリ・ユニットは、プロセッサ内またはプロセッサの外部に実装され得るが、その場合には、それは、当該技術分野で知られた種々の手段を介して通信可能にプロセッサに結合され得る。
【００７７】
上記で説明されてきたものは、１つ以上の実施形態の例を含む。もちろん、前述の実施形態を説明するという目的のために、構成要素または方法のすべての考えられる組み合わせを説明することは可能ではないが、当業者であるなら、種々の実施形態のさらに多くの組み合わせと置き換えが可能であることを認識することができる。したがって、説明された実施形態は、添付された請求項の精神および範囲以内にあるような変更、修正、そして、変形のすべてを包含するように意図される。さらに、"含む（include）"という用語が詳細な説明か請求項のいずれかにおいて使用される限り、そのような用語は、請求項で暫定的な単語として使用される際に、"含んでいる（comprising）"が解釈されるように、"含んでいる（comprising）"という用語に類似するように包含的であることが意図されている。
【図１】
2009544256.tif 000005
【図２】
2009544256.tif 000006
【図３】
2009544256.tif 000007
【図４】
2009544256.tif 000008
【図５】
2009544256.tif 000009
【図６】
2009544256.tif 000010
【図７】
2009544256.tif 000011
【図８】
2009544256.tif 000012
【図９】
2009544256.tif 000013
【図１０】
2009544256.tif 000014
【図１１】
2009544256.tif 000015
【図１２】
2009544256.tif 000016
【図１３】
2009544256.tif 000017
【図１４】
2009544256.tif 000018
【国際調査報告】
2009544256.tif 000019
2009544256.tif 000020
2009544256.tif 000021